(57)【要約】        【課題】消防職員などにおける特殊な作業を行う時の勤務情報を管理する方法であり、職員の特殊手当金申請の手間を省くことを目的とする。        【解決手段】消防職員が特殊勤務時に乗車する移動局からの動態情報を受信し、動態情報から移動局ごとの出動時間を算出する。該当する移動局に乗車した消防職員を抽出して、移動局の出動時間と特殊勤務の単価に応じて消防職員ごとの特殊手当金を算出し、記憶しておくことにより、消防職員が特殊勤務の時間帯を記憶する必要がなく、申請する手間が省ける。【選択図】    図１
2006048510.tif 000002
【特許請求の範囲】
【請求項１】
コンピュータが、移動局の出動及び帰署の時刻情報を取得するステップと、
移動局とその移動局に乗車している隊員を対応付けた情報と前記移動局が出動した災害種別および出動指令番号を対応付けた情報とから、隊員ごとの出動時刻、帰署時刻、災害種別を対応付けた決済システム送信データを作成するステップと、
前記決済システム送信データと災害種別ごとの単価を定義した情報から前記隊員ごとの特殊手当金を算出するステップと
を実行する特殊勤務管理方法。
【請求項２】
前記移動局の出動及び帰署の時刻情報は、移動局に搭載されているＡＶＭ端末からの動態情報により決定することを特徴とする請求項１記載の特殊勤務管理方法。
【請求項３】
前記移動局の出動及び帰署の時刻情報は、移動局に搭載されているＧＰＳ端末からの位置情報により決定することを特徴とする請求項１記載の特殊勤務管理方法。
【請求項４】
コンピュータを、移動局の出動及び帰署の時刻情報を取得する手段、
移動局とその移動局に乗車している隊員を対応付けた情報と前記移動局が出動した災害種別および出動指令番号を対応付けた情報とから、隊員ごとの出動時刻、帰署時刻、災害種別を対応付けた決済システム送信データを作成する手段、
前記決済システム送信データと災害種別ごとの単価を定義した情報から前記隊員ごとの特殊手当金を算出する手段
として機能させることを特長とする特殊勤務管理プログラム。
【請求項５】
移動局とその移動局に乗車している隊員を対応付けた乗車隊員テーブルと、
出動ごとに割り振られた出動指令番号と出動車両番号および災害種別を格納した災害種別格納テーブルと、
災害種別ごとの特殊手当金単価を格納した災害単価テーブルとを有し、
移動局の出動及び帰署の時刻情報を取得する手段と、
前記移動局の出動及び帰署の時刻と前記乗車隊員テーブル及び前記災害種別格納テーブルから、隊員ごとの出動時刻、帰署時刻、災害種別を対応付けた決済システム送信データを作成する手段と、
前記決済システム送信データと前記災害単価テーブルから前記隊員ごとの特殊手当金を算出する手段と、
前記隊員ごとの特殊手当金を特殊手当金テーブルに格納する手段と
を有することを特徴とする特殊勤務管理装置。
【発明の詳細な説明】
【技術分野】
【０００１】
本発明は、消防職員などにおける特殊な作業を行う時の勤務情報を管理する技術に関し、特にＡＶＭ装置を利用することにより、職員の手を煩わせることなく勤務情報を管理する方法に関する。
【背景技術】
【０００２】
消防職員の勤務においては、災害等の出動に対して特殊手当金が給与に加算して支給されている。特殊手当金とは、会社員が会社から支給される旅費日当のようなものであり、消防職員の場合は、危険度に応じた災害種別毎に単価が設定されている。特殊手当金は災害出動（特殊勤務）した時間とその災害種別により計算され、給与に加算して消防職員に支給されている。現在特殊手当金の支給を申請する方法は、災害出動（特殊勤務）から帰ってきた後に消防職員本人が出動時間および災害種別を手当金申請用紙に記入し、所属長などの決済を受けて紙による特殊手当金の申請を行っている。所属長の決済を受けた手当金申請用紙は、第３者により別途決済装置に入力され、毎月の給与として計上している。
【０００３】
しかしながら、１日の災害出動（特殊勤務）は多い時で１０回を越えることもあり、消防職員は災害出動（特殊勤務）から帰ったときに手当金申請用紙に記入することができず、自分の出動した時間と災害種別を覚えておく必要がある。さらに災害出動（特殊勤務）から帰ったときに申請用紙に出動した枚数分の申請を記入して所属長へ決済を依頼するため、手間がかかる。また災害出動（特殊勤務）してから申請まで時間が経過することもあり、申請を忘却してしまう恐れもある。通常消防職員の災害出動（特殊勤務）は突発的なものが多く、特殊手当金の申請を記入する時間が持てないことが多々あり、申請の時期を逃すことにより正当な手当てを支給されないような問題も生じる。また個人の記憶にはあいまいな部分があり、申請された災害出動（特殊勤務）が本当に正しいのかどうかの判断を所属長はすることができない。その結果正しい特殊手当金が消防職員に支払われない可能性もある。
【０００４】
また消防職員の災害出動（特殊勤務）は、個人での出動は殆どなく、グループごとに出動するが、手当金申請用紙は消防職員毎に申請しなければならず、所属長の決済処理が煩雑になっているのも問題となっている。
【０００５】
上記のような問題を解決するために、業務管理を行う警備管制システムにおいて、あらかじめ登録されている勤務スケジュールに携帯端末から実績の情報を追加・修正することにより、勤務実績を明確にし、給与計算を容易にする特許文献１がある。
【特許文献１】特開２００２−１２３６５６号公報
【発明の開示】
【発明が解決しようとする課題】
【０００６】
しかしながら、特許文献１による勤務スケジュールの追加・修正は、警備員が保持する携帯端末から個人認証を経ての追加・修正であり、申請者が携帯端末から情報を入力しなければ勤務スケジュールの追加・修正は行われない。多忙な業務の合間に携帯端末を使って勤務スケジュールを追加・修正するのは手当金申請用紙を記入するのと同様に面倒であり、その申請をするために時間を要する。また、申請しなければ特殊手当金は支給されないため、申請者は勤務実態を覚えておき、改めて申請するようになる。
【０００７】
このように、消防職員等の突発的に発生する災害出動（特殊勤務）に対して発生する特殊手当金を職員の申請の手間を省き、かつ正しい手当金を計算・管理する方法はなかった。
【０００８】
本発明はこのような従来の問題点に鑑みてなされたものである。すなわち、本発明の課題は、消防職員等の特殊勤務において、災害出動（特殊勤務）に対して発生する特殊手当金申請の手間を省くと共に、正しい災害出動（特殊勤務）の情報を管理する技術を提供することにある。
【課題を解決するための手段】
【０００９】
本発明は前記課題を解決するために、以下の特殊勤務管理方法を採用した。すなわち本発明は、ＡＶＭ装置が搭載された消防車等の複数の移動局と、この複数の移動局からの動態情報を管理するＡＶＭ制御装置と、この移動局を監視する指令管制装置と、職員の給与を管理する決済装置からなり、ＡＶＭ制御装置は、移動局から送信された動態情報を動態情報格納テーブルに記憶し、移動局からの動態情報が「帰署」のときに、移動局を識別するための出動車両番号と出動時刻および帰署時刻を指令管制装置に送信する。指令管制装置は、出動指令番号と出動を指示した出動車両番号および災害種別を記録した災害種別格納テーブルと出動車両番号と出動車両に乗車している乗車隊員とを登録した乗車隊員テーブルとを有し、ＡＶＭ制御装置から受信した出動車両番号と出動時刻および帰署時刻を基に、乗車隊員テーブルから出動車両番号に乗車した乗車隊員を抽出し、災害種別格納テーブルから出動車両番号に該当する災害種別を抽出して、乗車隊員コード、出動指令番号、出動時刻、帰署時刻、災害種別からなる決済システム送信データを生成する。指令管制装置は生成した決済システム送信データを決済装置に送信する。決済装置は災害種別ごとの単価を登録した災害単価テーブルを有し、指令管制装置から受信した決済システム送信データから乗車隊員ごとの勤務時間を算出し、算出された勤務時間と災害単価テーブルから該当する災害の単価を掛け合わせることにより特殊手当金を算出し、特殊手当金格納テーブルに記憶することを特徴とする。
【００１０】
また、移動局から送信される動態情報は、「帰署」のような情報ではなく、移動局に設置されたＧＰＳ等による移動体の位置情報でも可能である。その場合、ＡＶＭ制御装置は、移動体から送信される位置情報から、「帰署」なのかどうかを判断し、「帰署」であると判断した時に決済システム送信データを生成するようにしてもよい。
【発明の効果】
【００１１】
本発明によれば、消防職員等の災害出動（特殊勤務）において、消防職員本人が災害出動（特殊勤務）ごとに手当金申請用紙に記入する必要もなく、移動局からの動態情報から自動的に特殊手当金の申請が行われるため、災害出動（特殊勤務）をするたびに、出動時間等を記憶しておく必要がない。更に、移動局に乗車した職員全てに対して、同時に災害出動（特殊勤務）の申請が自動的に行われるため、職員の申請忘れ等の心配も解消する。
【発明を実施するための最良の形態】
【００１２】
以下に添付図面を参照して、この発明にかかる指令管制装置、ＡＶＭ制御装置、移動局、決済装置の好適な実施の形態を詳細に説明する。
【００１３】
図１は、本発明の公的な実施形態であるシステムの全体図を示す。このシステムは、指令管制装置１と、ネットワーク２を介して決済装置２１、ＡＶＭ制御装置３１とがデータの送受信を行い、更にＡＶＭ制御装置３１は無線回線を備えたＡＶＭ装置を搭載した移動局４１とデータの送受信を行うように構成される。
【００１４】
指令管制装置１は、災害出動（特殊勤務）すべき情報が入った時に出動すべき消防署に対して出動の指示を行う。更にＡＶＭ制御装置３１から移動局４１の動態情報として帰署情報を受け取った時にその移動局４１にて出動した乗車隊員の特殊手当金申請用のデータを作成し、決済装置２１に送信する。具体的には、指令管制装置１の操作者が災害出動（特殊勤務）すべき情報を入手した時に、ＡＶＭ制御装置３１から得られる移動局４１の動態情報により出動可能な移動局４１を選別して該当する消防署に出動指示を行い、同時にＡＶＭ制御装置３１経由で出動指令番号等の情報を移動局４１に通知する。そして災害種別格納テーブル１１に出動情報を格納する。更に指令管制装置１は、ＡＶＭ制御装置３１から移動局４１の帰署情報を受け取ると、その帰署情報と乗車隊員テーブル１２、災害種別格納テーブル１１から、決済システム送信データ１３を生成し、決済装置２１へ決済システム送信データ１３を送信する。
【００１５】
このような機能を提供するため、指令管制装置１は、不図示のＣＰＵ、メモリ、ハードディスク、および通信インターフェース等を有している。指令管制装置１は、上記情報を蓄積するため、災害種別格納テーブル１１、乗車隊員テーブル１２および決済システム送信データ１３をハードディスクに有している。また、指令管制装置１は、通信インターフェースによりネットワークに接続され、決済装置２１、ＡＶＭ制御装置３１と通信する。
【００１６】
決済装置２１は、指令管制装置１から決済システム送信データ１３が送られた時に特殊手当金を算出する。具体的には、指令管制装置１から送られた決済システム送信データ１３と災害単価テーブル２３により、乗車隊員ごとの特殊手当金を算出し、特殊手当金格納テーブル２５に格納する。
【００１７】
このような機能を提供するため、決済装置２１は、不図示のＣＰＵ、メモリ、ハードディスク、および通信インターフェース等を有している。決済装置２１は、上記情報を蓄積するため、災害単価テーブル２３および特殊手当金格納テーブル２５をハードディスクに有している。また、決済装置２１は、通信インターフェースによりネットワークに接続され、指令管制装置１と通信する。
【００１８】
ＡＶＭ制御装置３１は、無線により移動局４１からの動態情報を受信し、移動局４１ごとに出動時刻と帰署時刻を記憶し、帰署情報を受信した時に移動体４１を識別する出動車両番号と出動時刻と帰署時刻からなる動態情報を指令管制装置１に送信する。具体的には、移動局４１から出動という動態情報を無線により受信した時に、移動体４１ごとに固有に持つ出動車両番号と出動時刻を動態情報格納テーブル３３に格納する。そして帰署という動態情報を移動局４１から無線により受信した時は、動態情報格納テーブル３３に記憶されている同じ出動車両番号のレコードに帰署時刻を格納し、出動車両番号、出動時刻、帰署時刻からなる動態情報を指令管制装置１に送信する。
【００１９】
このような機能を提供するため、ＡＶＭ制御装置３１は、不図示のＣＰＵ、メモリ、ハードディスク、および通信インターフェース等を有している。ＡＶＭ制御装置３１は、上記情報を蓄積するため、動態情報格納テーブル３３をハードディスクに有している。また、ＡＶＭ制御装置３１は、通信インターフェースによりネットワークに接続され、指令管制装置１と通信する。また無線通信によりＡＶＭ装置を搭載した移動局４１と通信する。
【００２０】
図２は、ＡＶＭ制御装置３１が保持する動態情報格納テーブル３３のデータ例である。動態情報格納テーブル３３には、移動局４１ごとの出動時刻と帰署時刻の情報を格納する。図２の各行が１レコードを表し、１つの移動局４１に対応する。
【００２１】
移動局４１から「出動」の動態情報を受けた時に、ＡＶＭ制御装置３１は動態情報格納テーブル３３に新たなレコードを生成し、出動車両番号と出動時刻を格納する。「帰署」の動態情報を受けた時は、出動時刻と出動車両番号が記憶されたレコードの中から、同じ出動車両番号を検索して、該当するレコードに帰署時刻を記録する。出動車両番号、出動時刻、帰署時刻のデータが揃うと、ＡＶＭ制御装置３１は動態情報を指令管制装置１に送信し、該当するレコードを動態情報格納テーブル３３から削除するようになっている。図２によると、出動車両番号００１，００２，００３は０８３０（８時３０分）に出動し、１０４０（１０時４０分）に帰署しており、出動車両番号００４は１１００（１１時００分）に出動し、まだ帰署していないことがわかる。
【００２２】
図３は災害種別格納テーブル１１のデータ例である。災害種別格納テーブル１１には、指令管制装置１が出動指令を通知する時に必要な情報を格納する。図３の各行が１レコードを表している。図３のように災害種別格納テーブル１１の各レコードは、出動指令番号、出動車両番号および災害種別の各フィールドを有している。出動指令番号は、災害出動（特殊勤務）の指示を受けた時にユニークに割り振られた番号である。出動車両番号のフィールドには、出動指令番号に対する出動指示をした移動局に割り振られた出動車両番号を格納する。災害種別のフィールドには、出動指令番号に対する災害種別が何であるのかを格納する。図３によると、出動指令番号２００４０３２４０８３０では、出動車両番号００１，００２，００３の３台に出動指令がでており災害種別は火災、出動指令番号２００４０３２４０８３５では、出動車両００４の１台に対して出動指令が出され、災害種別は火災であることがわかる。
【００２３】
図４は乗車隊員テーブル１２のデータ例である。乗車隊員テーブル１２は、災害出動（特殊勤務）をする隊員がどの移動局に乗車しているかの情報が格納されている。図４の各行が１レコードを表している。図４のように乗車隊員テーブル１２の各レコードは、乗車隊員コードと乗車車両番号を有している。乗車隊員コードのフィールドには、隊員ごとに個々に割り振られた番号が格納されている。乗車車両番号のフィールドには、移動局ごとに割り振られた出動車両番号が格納されている。このレコードはあらかじめ登録されているものであるが、乗車する車両が変更になった時に随時操作者により乗車隊員テーブル１２が変更される。図４によると、乗車隊員コード９１０６７８の隊員は乗車車両番号００１に乗車することがわかる。
【００２４】
図５は決済システム送信データ１３のデータ例である。決済システム送信データ１３は、指令管制装置１がＡＶＭ装置３１からの動態情報を受信して、出動指令番号に対する出動時刻と帰署時刻の情報が揃った時に、特殊手当金申請に必要な情報を決済装置２１に送るための情報を表わしている。図５のように決済システム送信データ１３の各レコードは、乗車隊員コード、出動指令番号、出動時刻、帰署時刻および災害種別を有している。乗車隊員コードのフィールドには、隊員ごとに個々に割り振られた番号が格納されている。出動指令番号のフィールドには、災害出動（特殊勤務）の指示を受けた時にユニークに割り振られた番号が格納されている。出動時刻のフィールドには、乗車隊員コード番号の隊員が乗車した移動局４１が出動した時刻を格納し、帰署時刻は出動時刻と同様に乗車隊員コード番号の隊員が乗車した移動局４１が帰署した時刻を格納する。災害種別のフィールドには、出動指令番号に対する災害種別が何であるのかを格納する。これらのデータは、ＡＶＭ制御装置３１からの動態情報を受信した時に、災害種別格納テーブル１１、乗車隊員テーブル１２を基にして生成され、決済システム送信データ１３に格納される。図５によると、乗車隊員コード９１０６７８は出動指令番号２００４０３２４０８３０に出動し、出動時刻は０８３０（８時３０分）、帰署時刻は１０４０（１０時４０分）、災害種別は火災であることがわかる。
【００２５】
図６は災害単価テーブル２３のデータ例である。災害単価テーブル２３は、災害種別ごとに定められている特殊手当金の単価を表わしている。図６のように災害単価テーブル２３の各レコードは、災害種別と単価を有している。災害種別のフィールドには、特殊手当金支払い対象となる災害出動（特殊勤務）の種別が格納されている。単価のフィールドには、災害種別ごとの特殊手当金算出に必要な単価が格納されている。図６によると、災害種別が火災の単価は２００円（／１０分）であることがわかる。
【００２６】
図７は特殊手当金格納テーブル２５のデータ例である。特殊手当金格納テーブル２５は、乗車隊員ごとの出動指令番号に対応する特殊手当金が格納され、乗車隊員の給与計算時に使用される。図７のように特殊手当金格納テーブル２５の各レコードは、乗車隊員コード、出動指令番号および特殊手当金を有している。乗車隊員コードのフィールドには、隊員ごとに個々に割り振られた番号が格納されている。出動指令番号のフィールドには、災害出動の指示を受けた時にユニークに割り振られた番号が格納されている。特殊手当金のフィールドには、指令管制装置１から受信する決済システム送信データ１３と災害単価テーブル２３から算出された特殊手当金が格納されている。図７によると、乗車隊員コード９１０６７８の出動指令番号は２００４０３２４０８３０であり、特殊手当金は２６００円であることがわかる。
【００２７】
図８は、出動指令から特殊手当金計算までの決済装置２１、指令管制装置１、ＡＶＭ制御装置３１およびＡＶＭ装置を搭載した移動局４１が行う全体の処理の流れを示したものである。
【００２８】
指令管制装置１がＡＶＭ制御装置３１経由でＡＶＭ装置を搭載した移動局４１に出動指令を送ると、ＡＶＭ装置を搭載した移動局４１は出動時にＡＶＭ制御装置３１に出動という動態情報を送信する。ＡＶＭ制御装置３１はＡＶＭ装置を搭載した移動局４１から受信した出動という動態情報を基に動態情報格納テーブル３３に出動情報を格納する。帰署時にはＡＶＭ装置を搭載した移動局４１からＡＶＭ制御装置３１に対して帰署という動態情報を送信し、帰署という動態情報を受信したＡＶＭ制御装置３１は動態情報格納テーブル３３に帰署情報を格納し、出動車両番号、出動時刻および帰署時刻からなる動態情報を指令管制装置１に送信する。ＡＶＭ制御装置３１から動態情報を受信した出動指令装置１は、災害種別格納テーブル１１、乗車隊員テーブル１２および受信した動態情報から決済システム送信データ１３を作成し、決済装置２１に送信する。決済システム送信データ１３を受信した決済装置２１は、災害単価テーブル２３と指令管制装置１から受信した決済システム送信データ１３から特殊手当金を算出し、特殊手当金格納テーブル２５に格納する。このように、指令管制装置１が出動の指令を出してから特殊金手当金算出までの処理が自動的に行われるのがわかる。
【００２９】
図９は移動局４１に搭載されているＡＶＭ装置の操作パネル４０の一例である。操作ボタン４２は移動局４１の動態が変わるときに押下するボタンの集まりであり、例えば出動や帰署というボタンが存在する。そのほかにも移動局の役割によって放水等のボタンが存在する。操作ボタン４２は、移動局４１の動作が変化する時、例えば待機の状態から出動する時に、移動局４１に乗車している隊員によって押下される。ＡＶＭ装置およびＡＶＭ制御装置３１は、移動局４１の動態を監視するためのものであり、動態が変化する時に移動局４１に乗車している隊員が操作ボタンを押すことにより、ＡＶＭ制御装置３１へ動態情報が通知される仕組みになっている。現在のＡＶＭ制御装置３１は移動局ごとの動態情報を監視し、指令管制装置１からの移動局動態情報依頼により、動態情報を通知し、その結果指令管制装置１は出動可能な移動局の中から、出動すべき移動局を選別することが可能になっている。表示画面４４は操作パネル４０の表示画面であり、ＡＶＭ制御装置３１から送られてくる情報を文字で表示したり、目的地の地図を表示したりするものである。
【００３０】
図１０に本実施例における指令管制装置１が行う出動指令処理の処理フローを示す。図示されていない外部装置から災害出動（特殊勤務）指令を受信すると（Ｓｔｅｐ１０）、その災害出動（特殊勤務）指令に対して出動すべき移動局を指令管制装置１の操作者が選択する（Ｓｔｅｐ１２）。指令管制装置１の操作者が出動する移動局を選択すると、指令管制装置１は、出動指令を署内および出動依頼する移動局４１へ通知する（Ｓｔｅｐ１４）。署内への通知は音声放送でも文字による出力でもまたその両方でも構わない。移動局４１への通知はＡＶＭ制御装置３１経由で行う。次に出動指令番号、出動車両番号および災害種別を災害種別格納テーブル１１に記憶する（Ｓｔｅｐ１６）。出動指令番号と災害種別は、指令管制装置１で災害出動（特殊勤務）指令を受信した時に、受信したデータであり、そのデータに出動指令を出した移動局を識別する出動車両番号を付加して記憶しておく。これは後に出動指令番号に対して、どの移動局に出動指令を出したか、またその災害種別を明確にするためである。
【００３１】
図１１はＡＶＭ制御装置３１が本特殊手当金算出にかかわる処理フローである。移動局４１からの動態情報を受信すると（Ｓｔｅｐ４０）、その動態情報が出動かどうかを判断する（Ｓｔｅｐ４２）。出動の場合には（Ｓｔｅｐ４２でＹｅｓ）、移動局４１から受信した出動車両番号とＡＶＭ制御装置３１の持つ図示されない時計から出動時刻を抽出し、動態情報格納テーブル３３に格納する（Ｓｔｅｐ４４）。出動時刻を抽出する時計は、移動局４１、ＡＶＭ制御装置３１のどちらが保持しても構わないが、複数の移動局からの情報をＡＶＭ制御装置３１が管理するため、ＡＶＭ制御装置３１で保持することが望ましい。移動局４１が時計を管理する場合は、動態情報と共に時刻をＡＶＭ制御装置３１に送信すればよい。移動局４１からの動態情報が出動でなかったとき（Ｓｔｅｐ４２でＮｏ）に、動態情報が帰署かどうか判断する（Ｓｔｅｐ４６）。動態情報が帰署であったときには（ＳＴＥＰ４６でＹｅｓ）、動態情報格納テーブル３３から同じ出動車両番号であるレコードを検索し、該当する帰署時刻のフィールドに帰署時刻を格納する（Ｓｔｅｐ４８）。次に動態情報格納テーブル３３から出動車両番号、出動時刻、帰署時刻が全て埋まっているレコードを抽出し、動態情報として指令管制装置１に送信する（Ｓｔｅｐ５０）。送信済みの動態情報に関するレコードを動態情報格納テーブル３３から削除する（Ｓｔｅｐ５２）。以上のようにして、ＡＶＭ装置を搭載した移動局４１から、動態の変化情報を受信した時に、出動か帰署かを判断し、出動車両番号、出動時刻、帰署時刻を動態情報格納テーブル３３に格納する。更に出動車両番号、出動時刻、帰署時刻のデータが全て揃った時にその情報を動態情報として指令管制装置１に送信し、該当するレコードを削除することにより、特殊手当金算出に必要な動態情報を指令管制装置１に送信する。
【００３２】
図１２はＡＶＭ制御装置３１からの動態情報を受信した指令管制装置１が行う決済システム送信データ作成・送信処理のフローである。ＡＶＭ制御装置３１から送信された動態情報（出動車両番号、出動時刻、帰署時刻）と乗車隊員テーブル１２、災害種別格納テーブル１１から決済システム送信データ１３を生成する（Ｓｔｅｐ２０）。詳しくは、動態情報の出動車両番号からその車両に乗車していた隊員を乗車隊員テーブル１２から抽出し、災害種別格納テーブル１１から出動車両番号に対する出動指令番号と災害種別を抽出する。そして乗車隊員コードごとに、出動指令番号、出動時刻、帰署時刻、災害種別を１つのレコードとして出動車両番号に乗車した隊員分の決済システム送信データ１３を生成する。例えば、ＡＶＭ制御装置３１からの動態情報が出動車両番号００１、出動時刻０８３０、帰署時刻１０４０の情報を受信すると、乗車隊員テーブル１２から出動車両番号００１に乗車した乗車隊員コードを抽出する。図４から出動車両番号１に乗車した隊員は９１０６７８、８９０７７９、８８０９８４，８７−２５４，９４０４８５の５人であることがわかる。図３の災害種別格納テーブル１１から出動車両番号００１に該当する出動指令番号と災害種別を抽出すると、出動指令番号２００４０３２４０８３０、災害種別は火災であることが判明する。以上のデータから図５に示すとおり、乗車隊員コードごとの出動指令番号、出動時刻、帰署時刻及び災害種別か確定し決済システム送信データ１３を生成する。次に生成された決済システム送信データ１３を決済装置２１へ送信する（Ｓｔｅｐ２２）。最後に送信済みの決済システム送信データ１３を削除する（Ｓｔｅｐ２４）。以上のようにしてＡＶＭ制御装置３１から送信された動態情報と乗車隊員テーブル１２、災害種別格納テーブル１１から決済システム送信データ１３を生成して決済装置２１に送信することが可能になる。
【００３３】
図１３は指令管制装置１から送信された決済システム送信データを基に決済装置２１が特殊手当金を算出する処理のフローである。指令管制装置１から送信された決済システム送信データ１３から乗車隊員コードごとの出動時間を算出し、災害単価テーブル２３の単価を掛け合わせて特殊手当金を算出する（Ｓｔｅｐ３０）。詳しくは、図５の決済システム送信データ１３の乗車隊員コード９１０６７８を例にとると、出動時刻は０８３０（８時３０分）、帰署時刻は１０４０（１０時４０分）であるため、実際の出動時間は１３０分（２時間１０分）であることがわかる。災害種別は決済システム送信データ１３から、火災であることが判明するため、図６の災害単価テーブル２３の火災の単価を見ると２００であることがわかる。この災害単価テーブル２３の単価は１０分を単位としているので、
出動時間における特殊手当金を計算式は、１３０／１０×２００となり、結果特殊手当金は２６００であることが判明する。算出された特殊手当金を乗車隊員コードごとに算出し、乗車隊員コード、出動指令番号および特殊手当金を特殊手当金格納テーブル２３に格納する。以上のようにして指令管制装置１から送信された決済システム送信データ１３から決済装置２１は、乗車隊員ごとの特殊手当金を算出し、特殊手当金格納テーブル２３に格納することが可能になる。
【００３４】
以上のようにして、災害出動を命ぜられた隊員は、災害出動ごとに申請していた特殊手当金申請を提出する必要がなく、ＡＶＭ装置を搭載した移動局４１からの動態情報から、自動的に特殊手当金を算出することが可能になる。
【００３５】
また、発明を実施するための最良の形態として、ＡＶＭ装置を搭載した移動局からの動態情報を利用して出動時刻帰署時刻を確定し、その出動時間から特殊手当金を算出したが、異なる方法でも移動局ごとの出動時刻と帰署時刻が確定すればＡＶＭ装置を利用する必要はない。ＡＶＭ装置を利用せずに出動時刻と帰署時刻を確定する方法としては、例えばＧＰＳのように位置を確認できる機能が移動局に搭載されていればよい。そして移動局からの位置情報を受信して、常駐位置から移動した時を出動、常駐位置に戻ってきた時を帰署のように定義しておけば、移動局の出動・帰署を判断することが可能となる。
【００３６】
更に発明を実施するための最良の形態として、指令管制装置１、決済装置２１およびＡＶＭ制御装置３１という構成をとったが、例えば、指令管制装置１と決済装置２１を１台の装置で実現するように、それぞれの手段を異なる構成でも実現可能であることは明らかである。
【００３７】
尚上記の指令管制装置１、決済装置２１およびＡＶＭ制御装置３１における処理はコンピュータによって実現される。その場合、指令管制装置１、決済装置２１およびＡＶＭ制御装置３１が有すべき機能の処理内容を記述したプログラムが提供される。そのプログラムをコンピュータで実行することにより、上記の処理機能がコンピュータ上で実現される。処理内容を記述したプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Digital Versatile Disc）、ＤＶＤ−ＲＡＭ(Random Access Memory)、ＣＤ−ＲＯＭ（Compact Disc Read Only Memory）、ＣＤ−Ｒ(Recordable)、／ＲＷ(Re Writable)などがある。光磁気記録媒体には、ＭＯ（Magneto-Optical disk）などがある。
【００３８】
処理内容を記述したプログラムを流通させる場合には、例えばそのプログラムが記録されたＤＶＤ，ＣＤ−ＲＯＭなどの可搬型記録媒体が販売される。
【００３９】
プログラムを実行するコンピュータは、例えば可搬型記録媒体に記録されたプログラムを、自己の記憶装置に格納する。そしてコンピュータは自己の記憶装置からプログラムを読み取り、プログラムに従った処理を実行する。尚、コンピュータは可搬型記録媒体から直接プログラムを読み取り、そのプログラムに従った処理を実行することもできる。
【図面の簡単な説明】
【００４０】
【図１】本発明の実施形態であるシステムの全体図
【図２】動態情報格納テーブルの一例を示した図
【図３】災害種別格納テーブルの一例を示した図
【図４】乗車隊員テーブルの一例を示した図
【図５】決済システム送信データの一例を示した図
【図６】災害単価テーブルの一例を示した図
【図７】特殊手当金格納テーブルの一例を示した図
【図８】出動指令から特殊手当金計算までの全体の流れを示した図
【図９】ＡＶＭ装置の操作パネルの一例を示した図
【図１０】出動指令処理の手順を示したフローチャート
【図１１】ＡＶＭ制御装置の手順を示したフローチャート
【図１２】決済システム送信データ作成・送信処理の手順を示したフローチャート
【図１３】特殊手当金の計算処理手順を示したフローチャート
【符号の説明】
【００４１】
１  指令管制装置
２  ネットワーク
１１  災害種別格納テーブル
１２  乗車隊員テーブル
１３  決済システム送信データ
２１  決済装置
２３  災害単価テーブル
２５  特殊手当金格納テーブル
３１  ＡＶＭ制御装置
３３  動態情報格納テーブル
４１  移動局
【図１】
2006048510.tif 000003
【図２】
2006048510.tif 000004
【図３】
2006048510.tif 000005
【図４】
2006048510.tif 000006
【図５】
2006048510.tif 000007
【図６】
2006048510.tif 000008
【図７】
2006048510.tif 000009
【図８】
2006048510.tif 000010
【図９】
2006048510.tif 000011
【図１０】
2006048510.tif 000012
【図１１】
2006048510.tif 000013
【図１２】
2006048510.tif 000014
【図１３】
2006048510.tif 000015